【手続補正書】
【提出日】平成21年2月25日(2009.2.25)
【手続補正１】
【補正対象書類名】特許請求の範囲
【補正対象項目名】全文
【補正方法】変更
【補正の内容】
【特許請求の範囲】
【請求項１】
送信者側端末および受信者端末側並びに認証局をインターネットを介して接続されるメール送信内容証明装置であって、
（１）前記送信者側端末から前記認証局に前記送信者側端末のＳＭＴＰサーバ情報、前記送信者側端末のＦｒｏｍアドレス情報を含む事前登録内容を受信しワンタイムパスワードに対応させて検索情報データベースに登録する事前登録手段と、
（２）前記送信者側端末から前記受信者側端末へ前記ワンタイムパスワードを含む正規メールを送信する際に、前記送信者側端末から前記認証局へ前記受信者側端末の「送信先ユーザアドレス」、前記正規メールの本文を符号化したハッシュ値、前記ワンタイムパスワード、メール証明依頼の内容証明ステータスをセットした影メール情報を含むハッシュ値メールを前記インターネットを介して受信し、影メールの送信依頼を受付ける影メール送信依頼受付手段と、
（３）前記認証局が、前記正規メールと対になる前記ワンタイムパスワード、前記「送信先ユーザアドレス」、前記正規メールの本文を符号化したハッシュ値、メール証明依頼の内容証明ステータスを含む影メールを前記インターネットを介して前記受信者側端末に送付する影メール送付手段と、
（４）前記受信者側端末が前記正規メールおよび影メールをチェックした最終結果を前記インターネットを介して前記認証局が受付ける最終結果通知・再送依頼受付手段と、
（５）前記認証局が前記受信者側端末からの最終結果連絡・再送依頼情報を記録すると共に当該情報を前記送信者側端末へ送信する最終結果連絡・再送依頼手段と、
を備えたことを特徴とするメール送信内容証明装置。
【請求項２】
ワンタイムパスワード申請を送信者側端末からインターネットを介して受信し、このワンタイムパスワード申請に対応するワンタイムパスワードを検索情報データベースから検索し前記送信者側端末に前記インターネットを介して発行すると共に、前記送信者側端末から「送信先ユーザアドレス」と、正規メールの本文を符号化したハッシュ値と、前記ワンタイムパスワードと、メール証明依頼の内容証明ステータスとを含むハッシュ値メールを前記インターネットを介して受信し、前記検索情報データベースから検索する前記ワンタイムパスワードと対になる前記送信者側端末のＳＭＴＰサーバ情報と、前記登録企業のＦｒｏｍアドレス情報と、前記「送信先ユーザアドレス」と、前記ハッシュ値と、メール証明依頼の内容証明ステータスとを含む影メールを生成し、この影メールを前記インターネットを介して前記受信者側端末へ送信することを特徴とするメール送信内容証明装置。
【請求項３】
送信者側端末および受信者端末側並びに認証局をインターネットを介して接続されるメール送信内容証明方法であって、
（１）前記送信者側端末から前記認証局に前記送信者側端末のＳＭＴＰサーバ情報、前記送信者側端末のＦｒｏｍアドレス情報を含む事前登録内容を受信しワンタイムパスワードに対応させて検索情報データベースに登録する事前登録処理と、
（２）前記送信者側端末から前記受信者側端末へ前記ワンタイムパスワードを含む正規メールを送信する際に、前記送信者側端末から前記認証局へ前記受信者側端末の「送信先ユーザアドレス」、前記正規メールの本文を符号化したハッシュ値、前記ワンタイムパスワード、メール証明依頼の内容証明ステータスをセットした影メール情報を含むハッシュ値メールを前記インターネットを介して受信し、影メールの送信依頼を受付ける影メール送信依頼受付工程と、
（３）前記認証局が、前記正規メールと対になる前記ワンタイムパスワード、前記「送信先ユーザアドレス」、前記正規メールの本文を符号化したハッシュ値、メール証明依頼の内容証明ステータスを含む影メールを前記インターネットを介して前記受信者側端末に送付する影メール送付工程と、
（４）前記受信者側端末が前記正規メールおよび影メールをチェックした最終結果を前記インターネットを介して前記認証局が受付ける最終結果通知・再送依頼受付工程と、
（５）前記認証局が前記受信者側端末からの最終結果連絡・再送依頼情報を記録すると共に当該情報を前記送信者側端末へ送信する最終結果連絡・再送依頼手段と、
を含むことを特徴とするメール送信内容証明方法。
【請求項４】
ワンタイムパスワード申請を送信者側端末からインターネットを介して受信し、このワンタイムパスワード申請に対応するワンタイムパスワードを検索情報データベースから検索し前記送信者側端末に前記インターネットを介して発行すると共に、前記送信者側端末から「送信先ユーザアドレス」と、正規メールの本文を符号化したハッシュ値と、前記ワンタイムパスワードと、メール証明依頼の内容証明ステータスとを含むハッシュ値メールを前記インターネットを介して受信し、前記検索情報データベースから検索する前記ワンタイムパスワードと対になる前記送信者側端末のＳＭＴＰサーバ情報と、前記登録企業のＦｒｏｍアドレス情報と、前記「送信先ユーザアドレス」と、前記ハッシュ値と、メール証明依頼の内容証明ステータスとを含む影メールを生成し、この影メールを前記インターネットを介して前記受信者側端末へ送信することを特徴とするメール送信内容証明方法。
【手続補正２】
【補正対象書類名】明細書
【補正対象項目名】０００７
【補正方法】変更
【補正の内容】
【０００７】
【特許文献１】特開２００３−１４３１２４号公報
【非特許文献１】（ｈｔｔｐ：／／ｉｎｔｅｒｎｅｔ．ｗａｔｃｈ．ｉｍｐｒｅｓｓ．ｃｏ．ｊｐ／ｗｗｗ／ａｒｔｉｃｌｅ／２０００／０１１８／ｍｐｔ．ｈｔｍ）
【非特許文献２】（２００６年１月２４日フジサンケイ ビジネスアイ朝刊）
【手続補正３】
【補正対象書類名】明細書
【補正対象項目名】０００８
【補正方法】変更
【補正の内容】
【０００８】
本願発明のメール送信内容証明装置は、ワンタイムパスワード申請を送信者側端末からインターネットを介して受信し、このワンタイムパスワード申請に対応するワンタイムパスワードを検索情報データベースから検索し送信者側端末にインターネットを介して発行すると共に、送信者側端末から「送信先ユーザアドレス」と、正規メールの本文を符号化したハッシュ値と、ワンタイムパスワードと、メール証明依頼の内容証明ステータスとを含むハッシュ値メールをインターネットを介して受信し、検索情報データベースから検索するワンタイムパスワードと対になる送信者側端末のＳＭＴＰサーバ情報と、登録企業のＦｒｏｍアドレス情報と、「送信先ユーザアドレス」と、ハッシュ値と、メール証明依頼の内容証明ステータスとを含む影メールを生成し、この影メールをインターネットを介して受信者側端末へ送信することを要旨とする。
【手続補正４】
【補正対象書類名】明細書
【補正対象項目名】００１７
【補正方法】変更
【補正の内容】
【００１７】
本願発明によれば、確実に相手方に受信されたこと、運用が簡単で費用を大幅に低減できること、原本性を保証できること、何処の誰からメールが送信されたかを受信時に社名、住所、送信者名など送信元属性情報を認証局登録属性情報から任意に選択し送信先相手に表示して知らせることが出来る。又、送信先が本メールを内容証明や配達記録として送信されたことを当該発明が告知し受信したか否かを、認証局、送信元は確認記録できる。さらに、認証局と送信元は、前記本メールが何時、誰が、原本を受信したのかも知ることが出来る。
よって、内容証明ステータスの付された本メールと影メールのペアメールの送受信により内容証明、配達記録、送信者証明を実現することができ、ワンタイムパスワードＰＷ１Ｔの利用した本文復号化のためのキーは影メールに同封されているため、受信側は復号化のためのキーは一切不要であり、関知することがないので、端末のソフトにこだわらない発明を提供でき、前記課題を解決でき、安全なインターネットメール手段を提供することができる。